(57)【要約】【課題】電子カードの抜け防止のロックを確認できると共に、小スペース化を図り得、さらにロック操作の単純化も図ることができるようにする。【解決手段】ロック部材１１を、装置本体５におけるカード挿入口６ａの横方向に退避したロック解除位置と、該カード挿入口６ａに対向するロック位置との間で、移動可能に設け、このロック部材１１におけるロック部１１ａを、ロック位置で、電子カード９の前端部９ａのうちロック解除位置寄りの端部に対向する構成とした。【選択図】図１
2010218378.tif 000002
【特許請求の範囲】
【請求項１】
装置本体のカード挿入口に対して、電子カードを取り出し可能に挿入し、該電子カードの抜脱をロック部材のロック部により阻止するカード収納装置であって、
前記ロック部材を、
前記カード挿入口の横方向に退避したロック解除位置と、該カード挿入口に対向するロック位置との間で、移動可能に設け、
このロック部材における前記ロック部を、前記ロック位置で、前記電子カードの前記ロック解除位置寄りの端部に対向する構成とし、
前記装置本体に、前記カード挿入口と前記対向位置にある前記ロック部材との双方を覆うことが可能な蓋を、前記カード挿入口の近傍に回動可能に設けてなることを特徴とするカード収納装置。
【請求項２】
前記カードの挿入完了を検知したときにオン信号を発生するカード認識手段と、
前記ロック部材の前記ロック位置への移動を検知したときにオン信号を発生するロック認識手段と、
前記カード認識手段とロック認識手段との双方がオン信号を発生したことを条件に前記電子カードへのアクセスを開始し、前記カード認識手段とロック認識手段とのどちらかがオン信号を発生しなくなったことを条件に前記電子カードへのアクセスを停止する制御手段とを設けたことを特徴とする請求項１に記載のカード収納装置。
【請求項３】
前記蓋には、前記ロック位置にある前記ロック部材の前記ロック解除方向への移動を該蓋の閉塞時に阻止するロック部材移動阻止部が設けられていることを特徴とする請求項１又は２に記載のカード収納装置。
【発明の詳細な説明】
【技術分野】
【０００１】
本発明は、電子カードを挿入し該電子カードの収納状態をロック及びロック解除する機能を備えたカード収納装置に関する。
【背景技術】
【０００２】
近年、例えば自動車においては、ドライブレコーダーを備え、走行時の記録、特には車載カメラで撮像したデータを当該ドライブレコーダーに記憶することが行われている。このドライブレコーダーには、カード収納装置に収納した電子カードに前記データを書き込むようにしている。
【０００３】
上記カード収納装置としては、特許文献１に示される技術がある。このものでは、筐体の前面パネルにカード挿入口を備え、この前面パネルを回動式の蓋で開閉できるようにし、且つ、この蓋を閉じた状態でスライドできるようにしている。そして、このスライドによりこの蓋が開放方向に開かないようにロックする構成としている。このロックされた蓋で、収納されたカードの抜けを防止する構成としている。
【先行技術文献】
【特許文献】
【０００４】
【特許文献１】特開２００４−２２７５１０号公報
【発明の概要】
【発明が解決しようとする課題】
【０００５】
しかし、上記特許文献１の構成では、蓋を回動式で且つスライド式とする構成が極めて面倒であり、しかも、回動操作しながらスライド操作をしなければならず、操作が単純ではなく、蓋を筐体側に回動した後ロックする構成も複雑で、しかも、蓋閉塞状態でのスライド操作（ロック操作）となるため、ロック完了の確認（視認）もできず、ロック不完全な事態があっても確認できないといった不都合がある。
【０００６】
又、別の従来の技術として、図８に示すように、筐体８１のカード挿入口８２の横方向部位から、当該カード挿入口８２までの間にわたり、スライドする蓋部材８３を設けた構成が知られている。このものでは、電子カード８４をカード挿入口８２に挿入配置した後に、この蓋部材８３をカード挿入口８２の覆う位置スライドさせて、該蓋部材８３により電子カード８４の抜けを防止（ロック）するようにしている。
しかし、この図８に示した技術においては、カード挿入口８２の横の部分に蓋部材８３を退避させる領域が必要で、つまり、カード収納装置としての必要占有スペースが大きく、その分筐体８１の前面の有効利用が図れないという問題がある。
【０００７】
本発明は、上述の事情に鑑みてなされたものであり、その目的は、電子カードの抜け防止のロックを確認できると共に、小スペース化を図り得、さらにロック操作の単純化も図ることができるカード収納装置を提供することにある。
【課題を解決するための手段】
【０００８】
上記目的を達成するために、請求項１の発明によれば、前記ロック部材を、前記装置本体における前記カード挿入口の横方向に退避したロック解除位置と、該カード挿入口に対向するロック位置との間で、移動可能に設け、このロック部材における前記ロック部を、前記ロック位置で、前記電子カードの前記ロック解除位置寄りの端部に対向する構成としたから、ロック部材がカード挿入口に対して横からスライド移動する構成であっても該ロック部材の移動距離を短くでき、且つ大きさも小さくでき、この結果、カード挿入口の横方向部位のスペースを小さく出来る。しかも、蓋により前記カード挿入口と前記対向位置にある前記ロック部材との双方を覆うことができ、さらに、この蓋を、前記カード挿入口の近傍に回動可能に設けたことで、この蓋がカード挿入口の横方向部位のスペースを占有することがなく、総じて、小スペース化を図ることができる。
【０００９】
又、ロック部材がカード挿入口に対して横からスライド移動して電子カードの抜脱を阻止する構成であるから、つまり、ロック部材が電子カードの抜脱方向には動き得ない構成であるから、電子カードの抜脱阻止を確実に行うことができる。
又、上記請求項１の発明によれば、蓋を開放した状態でないと、ロック部材を操作できないから、該ロック部材による電子カード抜脱阻止（ロック）状況を確認でき、しかも、ロック操作としては、このロック部材をスライド操作するのみであるから、ロック操作の単純化も図ることができる。
【００１０】
請求項２の発明は、前記電子カードの挿入完了を検知したときにオン信号を発生するカード認識手段と、前記ロック部材の前記ロック位置への移動を検知したときにオン信号を発生するロック認識手段と、前記カード認識手段とロック認識手段との双方がオン信号を発生したことを条件に前記電子カードへのアクセスを開始し、前記双方がオン信号を発生しなくなったことを条件に前記電子カードへのアクセスを停止する制御手段とを設けているところに特徴がある。
【００１１】
この請求項２の発明によれば、電子カードが完全挿入され且つロック部材による電子カード抜脱阻止（ロック）がなされてから電子カードへのアクセスが開始され、ロック部材による電子カード抜脱が許容され（ロックが解除され）且つ該電子カードの抜脱がなされてから電子カードへのアクセスが停止されるから、常に確実に電子カードへのアクセス開始及び停止を行うことができる。
【００１２】
又、請求項３の発明は、前記蓋には、前記ロック位置にある前記ロック部材の前記ロック解除方向への移動を該蓋の閉塞時に阻止するロック部材移動阻止部が設けられているところに特徴がある。
この請求項３の発明によれば、ロック部材のロック解除位置方向への移動を蓋により阻止でき、しかも蓋がロック部材の前記移動を阻止したときに該ロック部材から開放方向への反力を受けることもない。
【図面の簡単な説明】
【００１３】
【図１】本発明をドライブレコーダーのカード収納装置に適用した一実施形態を示し、ロック部材がロック位置にあり且つ蓋が開放状態にあるドライブレコーダーの斜視図
【図２】ロック部材がロック解除位置にあり且つ蓋が開放状態にあるカード収納装置部分の斜視図
【図３】同じ状態の縦断側面図
【図４】同じ状態の横断平面図
【図５】同じ状態の破断斜視図
【図６】上部ケースを省略した状態での破断斜視図
【図７】電子カードとロック部材の概略平面構成と制御マイコンの電気的概略構成とを混在して示す図
【図８】従来例を示すドライブレコーダーの外観斜視図
【発明を実施するための形態】
【００１４】
以下、本発明の一実施形態について図面を参照して説明する。図１において、電子機器である例えばドライブレコーダー１の左部には、カード収納装置２が設けられている。このドライブレコーダー１は、車両走行時の記録、特には車載カメラで撮像したデータを後述の電子カード９に逐次記憶するものである。なお、このドライブレコーダー１の右部には表示器３や、各種操作スイッチ（複数有るが一つのみ図示）４が設けられている。
【００１５】
以下、前記カード収納装置２について説明する。装置本体５は、下部ケース５ａと、上部ケース５ｂとから構成されており、下部ケース５ａにはカード収納部６が形成されている。このカード収納部６の前面開口は、上下幅が狭くて横長なカード挿入口６ａとされている。
【００１６】
カード収納部６の上部には基板７が配設されており、この基板７の左右端部を押さえる形態で前記下部ケース５ｂが配設されている。
前記カード収納部６には、カードコネクタ８が配設されており、電子カード９が前記カード挿入口６ａから挿入されると、該電子カード９の端子が、カードコネクタ８内の図示しない接続端子に接続される。なお、この接続端子に導通する複数の外部接続端子８ａを図７に示している。この外部接続端子８ａは基板７に実装された後述の制御手段たる制御マイコン１４に接続される。
【００１７】
又、前記カードコネクタ８には、図７に示すように、電子カード９の挿入完了を検知するカード認識手段としてのカード認識スイッチ１０が設けられている。このカード認識スイッチ１０は、電子カード９がカードコネクタ８に正常に挿入完了（つまりカード挿入口６ａに正常に挿入完了）されるとオン信号を発生（出力）するようになっている。
【００１８】
前記下部ケース５ａ及び上部ケース５ｂには、ロック部材１１が横方向（電子カード９の挿入方向と直交する方向）に移動可能に設けられている。すなわち、下部ケース５ａには横方向に延びる下ガイド溝部５ｃが形成され、上部ケース５ｂには横方向に延びる上ガイド片部５ｄが形成されている。
【００１９】
ロック部材１１は、図３に示すように、ロック部１１ａと、下ガイド片部１１ｂと、上ガイド部１１ｃと、操作部１１ｄと、表示板部１１ｅとを有する。
ロック部１１ａは、全体としてやや湾曲する外面形状をなす。このロック部１１ａの下端部と該下端部から左方向へ張り出す部分とに前記下カイド片部１１ｂが形成されている。
前記ロック部１１ａの上端部には、このロック部１１ａの上端部と該上端部から左方向へ張り出す部分とにかけて前記上カイド部１１ｃが形成されており、この上ガイド部１１ｃにガイド溝部１１ｆが形成されている。
【００２０】
そして、前記上ガイド部１１ｃにおける左部前側に表示板部１１ｅ及び操作部１１ｄが形成されている。前記表示板部１１ｅには、左方向への操作がロック操作であることを示す矢印形象部１１ｅ´が設けられている。また、前記操作部１１ｄは手前側に縦板状に突出しており、ユーザーがこの操作部１１ｄに手指を掛けてスライド操作できるようになっている。
【００２１】
前記ロック部材１１の下ガイド片部１１ｂが前記下部ケース５ａの下ガイド溝部５ｃに移動可能に挿入され、上ガイド部１１ｃのガイド溝部１１ｆが上ガイド片部５ｄに移動可能に嵌合され、もって、ロック部材１１がロック解除位置（後述する）とロック位置（後述する）との間で移動可能に設けられている。
【００２２】
前記ロック部材１１のうちロック部１１ａが前記カード挿入口６ａに対して前から対向し得る構成であり、図４に示すように、このロック部１１ａの横幅寸法ｈａは、前記カード挿入口６ａの横幅寸法Ｈよりかなり小さく設定されており、例えば１／２〜１／５の寸法に設定されている。
【００２３】
前記ロック部材１１は、前記カード挿入口６ａの横方向に退避したロック解除位置（図２に示す位置）と、該カード挿入口６ａに対向するロック位置（図１に示す位置）との間で、移動可能である。そして、このロック部材１１における前記ロック部１１ａは、前記ロック位置で、前記電子カード９の前端部９ａのうち前記ロック解除位置寄りの端部に対向する構成となっている。
【００２４】
前記基板７には、ロック認識手段としてのロック認識スイッチ１２が設けられており、このロック認識スイッチ１２は、ロック部材１１のロック部１１ａが、カード挿入口６ａに対向するロック位置になったときにオン信号を発生（出力）するようになっている。
【００２５】
又、下部ケース５ａには、前記カード挿入口６ａの近傍下部に蓋１３が回動可能に設けてられている。この蓋１３は、基端部に設けたヒンジ部１３ａに若干の弾性変形が可能な差込片部１３ｂを備え、この差込片部１３ｂが、前記カード挿入口６ａの近傍下部に形成された差込穴部６ｂに差込嵌合されることにより、該蓋１３が下部ケース５ａにおける前記カード挿入口６ａの近傍下部に回動可能に枢支されている。この蓋１３の先端部両側には係合爪部１３ｄが形成されており、この係合爪部１３ｄが装置本体５の図示しない係合部に係合されており、蓋１３が閉塞操作されると、前記係合爪部１３ｄが図示しない係合部に係合されて閉塞状態を保持するようになっている。なお、蓋１３を開放するときには、該蓋１３先端部中央の開放用操作部１３ｅを手前側に操作すれば良い。
【００２６】
この蓋１３の裏面（閉じたとき後面となる面）の右部には、ロック部材移動阻止部１３ｃが形成されている。この蓋１３は、前記カード挿入口６ａと前記対向位置にある前記ロック部材１１との双方を覆うことが可能である。
【００２７】
図７に示す制御マイコン１４は前記基板７に実装されており（図面では便宜上ブロックとして示している）、この制御マイコン１４には、複数のカード用端子１４ａが設けられていると共に、汎用端子１４ｂが設けられており、この制御マイコン１４は、前記カード認識スイッチ１０とロック認識スイッチ１２との双方がオン信号を発生したことを条件に前記電子カード９へのアクセスを開始し、前記スイッチのどちらかがオン信号を発生しなくなったことを条件に前記電子カード９へのアクセスを停止するようになっている。
【００２８】
ここでいう電子カード９とは、例えば、ＳＤ（登録商標）メモリー，メモリースティック（登録商標），マジックゲートメモリースティック（登録商標），メモリースティックＤＵＯ（登録商標），マルチメディアカード（登録商標），スマートメディア（登録商標），コンパクトフラッシュ（登録商標）、その他のメモリーカード等の総称として用いている。
【００２９】
上記構成において、図２の状態では、蓋１３が開放され、ロック部材１１がロック解除位置にあって、電子カード９をカード挿入口６ａからカード収納部６内（従ってカードコネクタ８内）に挿入完了した状態を示している。この状態では、カード認識スイッチ１０がオン信号を発生している。
【００３０】
この後ロック部材１１をユーザーが左方向へ移動操作（スライド操作）すると、ロック部材１１のロック部１１ａが図１、図３〜図７に示すように、電子カード９の前端部９ａのうちの右部に対向し、電子カード９が手前方向へ移動（抜脱）することを阻止する。この移動操作中に、ロック認識スイッチ１２がオンされてオン信号を発生する。前記カード認識スイッチ１０とロック認識スイッチ１２との双方がオン信号を発生したことを条件に前記電子カード９へのアクセスを開始する。この後、蓋１３を閉成する。この閉成により、ロック部材移動阻止部１３ｃが前記ロック部１１ａ右端の横すぐ近くに位置し、もって、ロック部材１１の右方向への移動（ロック解除方向への移動）が阻止される。
【００３１】
電子カード９を取り出す場合には、上述と逆の手順を行えば良い。この場合、制御マイコン１４は、前記カード認識スイッチ１０とロック認識スイッチ１２とのどちらかがオン信号を発生しなくなったことを条件に前記電子カード９へのアクセスを停止する。
【００３２】
上述した本実施形態によれば、前記ロック部材１１を、前記装置本体５における前記カード挿入口６ａの横方向に退避したロック解除位置と、該カード挿入口６ａに対向するロック位置との間で、移動可能に設け、このロック部材１１におけるロック部１１ａを、前記ロック位置で、電子カード９の前端部９ａのうち前記ロック解除位置寄りの端部に対向する構成としたから、ロック部材１１がカード挿入口６ａに対して横からスライド移動する構成であっても該ロック部材１１の移動距離を短くでき、且つ大きさも小さくでき、この結果、カード挿入口６ａの横方向部位のスペースを小さく出来る。
【００３３】
又、ロック部材１１がカード挿入口６ａに対して横からスライド移動して電子カード９の抜脱を阻止する構成であるから、つまり、ロック部材１１が電子カード９の抜脱方向には動き得ない構成であるから、電子カード９の抜脱阻止を確実に行うことができる。
【００３４】
しかも、蓋１３により前記カード挿入口６ａと前記対向位置にある前記ロック部材１１との双方を覆うことができ、さらに、この蓋１３を、前記カード挿入口６ａの近傍に回動可能に設けたことで、この蓋１３がカード挿入口６ａの横方向部位のスペースを占有することがなく、総じて、小スペース化を図ることができる。ちなみに、本実施形態では、ほぼカード挿入口６ａより僅かに大きい程度のスペース内に本カード収納装置２を収めることが可能となった。
【００３５】
又、本実施形態によれば、蓋１３を開放した状態でないと、ロック部材１１を操作できないから、該ロック部材１１による電子カード９抜脱阻止（ロック）状況を確認でき、しかも、ロック操作としては、このロック部材１１をスライド操作するのみであるから、ロック操作の単純化も図ることができる。
【００３６】
さらに、本実施形態によれば、前記電子カード９の挿入完了を検知したときにオン信号を発生するカード認識スイッチ１０と、前記ロック部材１１の前記ロック位置への移動を検知したときにオン信号を発生するロック認識スイッチ１２と、これらカード認識スイッチ１０とロック認識スイッチ１２との双方がオン信号を発生したことを条件に前記電子カード９へのアクセスを開始し、前記両スイッチのどちらかがオン信号を発生しなくなったことを条件に前記電子カード９へのアクセスを停止する制御マイコン１４とを設けているから、電子カード９が完全挿入され且つロック部材１１による電子カード抜脱阻止（ロック）がなされてから電子カード９へのアクセスが開始され、ロック部材１１による電子カード抜脱が許容され（ロックが解除され）且つ該電子カード９の抜脱がなされてから電子カード９へのアクセスが停止されるようになり、常に確実に電子カード９へのアクセス開始及び停止を行うことができる。
【００３７】
又、本実施形態によれば、前記蓋１３に、前記ロック位置にある前記ロック部材１１の前記ロック解除方向への移動を該蓋１３の閉塞時に阻止するロック部材移動阻止部１３ｃを設けているから、ロック部材１１のロック解除位置方向への移動を蓋１３により阻止でき、しかも蓋１３がロック部材１１の前記移動を阻止したときに該ロック部材１１から開放方向への反力を受けることもなく、該蓋１３が開放する虞もない。
【００３８】
なお、上記実施形態では、カード収納装置をドライブレコーダーに適用したが、電子カードを使用することが可能な電子機器全般に広くできるものである。
【符号の説明】
【００３９】
図面中、１はドライブレコーダー、２はカード収納装置、５は装置本体、６はカード収納部、６ａはカード挿入口、９は電子カード、１０はカード認識スイッチ（カード認識手段）、１１はロック部材、１１ａはロック部、１２はロック認識スイッチ（ロック認識手段）、１３は蓋、１３ｃはロック部材移動阻止部、１４は制御マイコン（制御手段）を示す。
【図１】
2010218378.tif 000003
【図２】
2010218378.tif 000004
【図３】
2010218378.tif 000005
【図４】
2010218378.tif 000006
【図５】
2010218378.tif 000007
【図６】
2010218378.tif 000008
【図７】
2010218378.tif 000009
【図８】
2010218378.tif 000010